(57)【特許請求の範囲】
【請求項１】
硬質熱可塑性プラスチックを主体とする内張り材（４）を管路に挿通するために加熱軟化せしめる方法であって、前記内張り材（４）を扁平に折畳むと共に、当該扁平状態の中央部（１１）の両面間の間隔が狭く両縁部（１２）が膨らんだ形状の、断面略ダンベル状をなさしめ、当該扁平に折り畳まれた前記内張り材（４）をドラム（３）に巻回すると共に、当該内張り材（４）における前記ダンベル状の一方の縁部（１２）が隣接する内張り材（４）の中央部に位置するように巻回し、当該内張り材（４）を巻回したドラム（３）を収容した容器（２）の前部下部の外周に前記内張り材（４）を送り出す送出し口（５）を設け、前記ドラム（３）を回転させて当該ドラム（３）に巻回された内張り材（４）の端末をドラム（３）の最外部から引き出して前記送出し口（５）に臨ませ、当該内張り材（４）の端末に続くドラム（３）に巻回された最外層の内張り材（４ａ）と、その内側の内張り材（４ｂ）との間に加熱流体を吹き付けることを特徴とする、管路の内張り材の加熱方法
【請求項２】
硬質熱可塑性プラスチックよりなる内張り材（４）を管路に挿通するために加熱軟化せしめる装置であって、扁平に折り畳まれた前記内張り材（４）を巻回するドラム（３）と、当該ドラム（３）を収容する容器（２）とを有し、当該容器（２）の前部下部外周に前記内張り材（４）を送り出す送出し口（５）を設け、当該送出し口（５）の近傍に加熱流体配管（１４）を設け、当該加熱流体配管（１４）に加熱流体を放出する加熱流体噴出孔（１５）を設け、当該加熱流体噴出孔（１５）から最外層の内張り材（４ａ）とその内側の内張り材（４ｂ）との間に加熱流体を吹き付けるようにしたことを特徴とする、管路の内張り材の加熱装置
【請求項３】
硬質熱可塑性プラスチックよりなる内張り材（４）を管路に挿通するために加熱軟化せしめる装置であって、扁平に折り畳まれた前記内張り材（４）を巻回するドラム（３）と、当該ドラム（３）を収容する容器（２）とを有し、当該容器（２）の前部下部外周に前記内張り材（４）を送り出す送出し口（５）を設け、当該送出し口（５）の内側下部に加熱流体を放出するノズル（６）を、前記ドラム（３）の回転軸に離接する方向に回動自在に設け、当該ノズル（６）の先端から最外層の内張り材（４ａ）とその内側の内張り材（４ｂ）との間に加熱流体を吹き付けるようにしたことを特徴とする、管路の内張り材の加熱装置
【発明の詳細な説明】
【技術分野】
【０００１】
本発明は管路の内張り材を加熱するための方法及び装置であって、さらに詳しくは、硬質熱可塑性プラスチックを主体とする内張り材を管路に挿通するに際し、当該内張り材を管路の方向に向けたり、内張り材の断面形状を管路内に挿入し得るように湾曲させたりするために、硬質熱可塑性プラスチックを加熱して軟化させるための方法及び装置に関するものである。
【背景技術】
【０００２】
特開２０１３−１０７２８０号公報（特許文献１）には、前述のように硬質熱可塑性プラスチックよりなる内張り材を管路に挿通して内張りする方法が示されており、当該方法においても内張り材を加熱する手段が示されている。
【０００３】
而して前記公報に示された方法においては、ベースフレームに内張り材を巻回したドラムを懸架し、前記ベースフレームに前記ドラムの回転軸と平行に蒸気配管を設け、当該蒸気配管からドラムに巻回された内張り材に対して蒸気を吹き付け、当該内張り材を加熱するようになっている。
【０００４】
しかしながらこの方法では、ドラムに巻回された内張り材の最外層の外側部分は十分に加熱されるが、そのドラムの内側に巻回された内張り材に対しては蒸気が行き渡らず、十分に加熱されない。また内部まで内張り材を十分に加熱するためには、長時間に亙って蒸気を吹き付ける必要があり、短時間での作業は困難である。
【先行技術文献】
【特許文献】
【０００５】
【特許文献１】特開２０１３−１０７２８０号公報
【発明の概要】
【発明が解決しようとする課題】
【０００６】
本発明はかかる事情に鑑みなされたものであって、ドラムに巻回された内張り材の内部まで、短時間のうちに十分に加熱することのできる、管路の内張り材の加熱方法及びその装置を提供することを目的とするものである。
【課題を解決するための手段】
【０００７】
而して本発明の内張り材の加熱方法は、硬質熱可塑性プラスチックを主体とする内張り材を管路に挿通するために加熱軟化せしめる方法であって、前記内張り材を扁平に折畳むと共に、当該扁平状態の中央部の両面間の間隔が狭く両縁部が膨らんだ形状の、断面略ダンベル状をなさしめ、当該扁平に折り畳まれた前記内張り材をドラムに巻回すると共に、当該内張り材における前記ダンベル状の一方の縁部が隣接する内張り材の中央部に位置するように巻回し、当該内張り材を巻回したドラムを収容した容器の前部下部の外周に前記内張り材を送り出す送出し口を設け、前記ドラムを回転させて当該ドラムに巻回された内張り材の端末をドラムの最外部から引き出して前記送出し口に臨ませ、当該内張り材の端末に続くドラムに巻回された最外層の内張り材と、その内側の内張り材との間に加熱流体を吹き付けることを特徴とするものである。
【０００９】
また本発明の内張り材の第一の加熱装置は、硬質熱可塑性プラスチックよりなる内張り材を管路に挿通するために加熱軟化せしめる装置であって、扁平に折り畳まれた前記内張り材を巻回するドラムと、当該ドラムを収容する容器とを有し、当該容器の前部下部外周に前記内張り材を送り出す送出し口を設け、当該送出し口の近傍に加熱流体配管を設け、当該加熱流体配管に加熱流体を放出する加熱流体噴出孔を設け、当該加熱流体噴出孔から最外層の内張り材とその内側の内張り材との間に加熱流体を吹き付けるようにしたことを特徴とするものである。
【００１０】
また本発明の内張り材の第二の加熱装置は、硬質熱可塑性プラスチックよりなる内張り材を管路に挿通するために加熱軟化せしめる装置であって、扁平に折り畳まれた前記内張り材を巻回するドラムと、当該ドラムを収容する容器とを有し、当該容器の前部下部外周に前記内張り材を送り出す送出し口を設け、当該送出し口の内側下部に加熱流体を放出するノズルを、前記ドラムの回転軸に離接する方向に回動自在に設け、当該ノズルの先端から最外層の内張り材とその内側の内張り材との間に加熱流体を吹き付けるようにしたことを特徴とするものである。
【発明の効果】
【００１１】
本発明によれば、ドラムに巻回された最外層の内張り材と、その内側の内張り材との間に加熱流体を吹き付けるので、当該二つの内張り材の間を通って速やかに内部にまで加熱流体が行き渡ることができ、短時間のうちに十分に内張り材の内部まで加熱することができるのである。
【図面の簡単な説明】
【００１２】
【図１】本発明の第一の装置の側面図
【図２】図１の装置の縦断面図
【図３】本発明の第二の装置の側面図
【図４】図２の装置の縦断面図
【発明を実施するための形態】
【００１３】
以下本発明を図面に基づいて説明する。図１及び図２は本発明の第一の装置１を示すものであって、２はその装置１の容器であり、３は当該容器２内に収容されたドラムであり、当該ドラム３には内張り材４が巻回されている。
【００１４】
前記容器２は、その内部に蒸気又は加熱空気等の加熱流体を保持し得る程度の保持力があれば十分であり、それ以上の密閉性までは必要ではない。すなわち前記加熱流体は上方に向かうから、ドラム３の前後左右及び上部を覆うことができれば十分であり、下部は開放されていてもよい。
【００１５】
前記容器２の前部下部の外周には、内張り材４を送り出す送出し口５が設けられており、当該送出し口５は容器２の外周から前下方に向けて突出している。また前記容器２内における前記送出し口５の近傍には加熱流体配管１４が設けられており、当該加熱流体配管１４には複数の加熱流体噴出孔１５が、ドラム３に巻回された内張り材４に向かって設けられている。
【００１６】
ドラム３は円形のリム８と、当該リム８と中心部の回転軸７とを繋ぐスポーク９とよりなっており、前記回転軸７において前記容器２に懸架され、当該ドラム３に内張り材４が巻回されている。
【００１７】
また図３及び図４は本発明の第二の装置を示すものであって、前記送出し口５の内側下部には、その先端から加熱流体を放出するノズル６が、前記ドラム３の回転軸７に離接する方向に回動自在に設けられている。
【００１８】
次に本発明の装置１を使用して管路に内張りする方法について説明する。先ず装置１を移動して送出し口５の下端をマンホール（図示せず）の上部開口部に臨ませ、ドラム３を回転させて内張り材４の外端を前記送出し口５に臨ませ、当該内張り材４の端末に牽引索１０を取り付け、当該牽引索１０を前記マンホール内に入れ、マンホール内の管路に挿通する。
【００１９】
第一の装置においては、送出し口５における内張り材４の通路の両側において加熱流体噴出孔１５から内張り材４に向かって加熱流体を噴出するので、最外部の内張り材４ａの外面及び当該内張り材４ａとその内側に巻回されている内張り材４ｂとの間に向かって、矢印で示すように加熱流体が吹き付けられる。
【００２０】
また第二の装置においては、ノズル６を回動させて図３に示すように端末の内張り材４ａの内側に入れ、当該内張り材４ａの端末とその内側に巻回されている内張り材４ｂとの間に向かって、ノズル６から加熱流体を吹き付ける。
【００２１】
このとき内張り材４は、図２及び図４に示すように、その断面形状が中央部１１の両面間の間隔が狭く両縁部１２が膨らんだ形状の、断面略ダンベル状をなしている。これは内張り材４を押出成型した後に、その折り畳み幅の中央部１１のみを強く押圧しつつ引き取りながら冷却することにより、かかる略ダンベル形状をなしており、そのままドラム３に巻回されているのである。
【００２２】
なおこの内張り材４の断面形状は、前述のように押出成型後の引き取り方法に基づいて断面略ダンベル形状をなすようにすることが好ましいが、必ずしも前記引き取り方法に基づかなくてもかかる形状をなすのである。
【００２３】
すなわち、押出成型後の内張り材４を単純に扁平状態に折り畳んで引き取った場合においても、当該扁平状態の両縁部１２は厚み方向に樹脂が存在するために剛直性を有するのに対し、内張り材４の中央部１１は厚み方向にフリーであるため、自由に凹むことが可能であり、この状態で冷却すれば結果的に図２に示すように断面略ダンベル状をなさしめることができるのである。そして本発明においては、前記内張り材４における前記ダンベル状の一方の縁部１２が、隣接する内張り材４の中央部１１に位置するように巻回しているのである。
【００２４】
而して本発明によれば、前記内張り材４における前記ダンベル状の一方の縁部１２が隣接する内張り材４の中央部１１に位置しているので、内張り材４の隙間１３が狭くなり装置１を小型化でき、内張り材４を安定して巻回することができるとともに、少量の蒸気で内張り材４の内部まで効率よく加熱することができる。また前記端末の内張り材４ａとその内側に巻回されている内張り材４ｂとの間に、加熱流体噴出孔１５から加熱流体を噴出し、又はノズル６から加熱流体を吹き付けることにより、当該加熱流体は略ダンベル状の内張り材４の隙間１３を通って、速やかに内部まで到達するのである。
【００２５】
また当該隙間１３は密閉されている訳ではなく、その横から加熱流体は漏れ出るが、加熱流体の大部分はそのまま隙間１３を通って内部まで到達し、横から漏れ出した加熱流体も隙間１３の内端まで到達した加熱流体も、容器２の中に封入されており、内張り材４を外部から加熱する役に立つ。
【００２６】
本発明によれば、ノズル６から放出された加熱流体は、折り畳み形状が略ダンベル状をなす内張り材４の隙間１３を通って内部まで到達するので、速やかに加熱され、内張り材４を速やかに軟化させることができる。
【００２７】
この点前記特許文献１に記載された方法では、ドラム３に巻回された内張り材４の外側から加熱流体で加熱するので、巻回された最外部の内張り材４及び内張り材４の折り畳み耳部は加熱されるが、その内側には加熱流体が侵入することがなく、内部まで十分に加熱軟化せしめるには長時間を要する。
【００２８】
而して本発明により内張り材４が十分に加熱され軟化されたならば、管路及びマンホールを通して前記牽引索１０を牽引し、ドラム３を回転させて内張り材４を繰り出し、内張り材４を管路に挿通する。このとき内張り材４は十分に軟化しているため、管路内に挿通することができる。
【符号の説明】
【００２９】
１  装置
２  容器
３  ドラム
４  内張り材
５  送出し口
６  ノズル
７  回転軸
８  リム
９  スポーク
１０  牽引索
１１  中央部
１２  両縁部
１３  隙間
１４  加熱流体配管
１５  加熱流体噴出孔
【図１】
0006399542.tif 000002
【図２】
0006399542.tif 000003
【図３】
0006399542.tif 000004
【図４】
0006399542.tif 000005